(57)【特許請求の範囲】
【請求項１】
第１の刃体と第２の刃体を枢軸により開閉可能に連結してなる鋏の枢軸構造において、前記枢軸は横断面円形の丸軸部と、横断面角形の角軸部を同一軸線上に有し、前記角軸部は横断面角形の４隅が枢軸の中心軸を曲率中心とする円弧に面取りされ、また第１の刃体には前記枢軸の丸軸部が密着状態で嵌挿される横断面円形の丸穴部と、前記角軸部が嵌挿され、該角軸部の回り止めを行う角穴部を備えた座繰り穴が形成される一方、第２の刃体には前記枢軸の角軸部が嵌挿される座繰り穴が形成され、該座繰り穴は前記角軸部を回転可能に軸支する横断面円形の丸穴部を有するか、或いは軸受を有し、前記枢軸を第１の刃体側から第２の刃体に通したのち、第２の刃体側から止ネジを前記枢軸の軸部の軸端に捩じ込み、第１及び第２の刃体を開閉可能に連結してなる鋏の枢軸構造。
【請求項２】
前記枢軸は第１の刃体に回り止めされる代わりに丸軸部にネジを刻設して第１の刃体の座繰り穴に形成されるネジ部に捩じ込み、第１の刃体には枢軸の捩じ込みによる移動を一定位置で阻止する阻止手段を設け、また前記止ネジは前記枢軸に該枢軸が捩じ込まれる方向に捩じ込まれるようにした請求項１記載の鋏の枢軸構造。
【請求項３】
前記第１の刃体の座繰り穴に枢軸の捩じ込み方向に窄まるテーパ部を形成する一方、前記枢軸の丸軸部に前記テ―パ部に係止可能なテーパ部を形成してなる請求項２記載の鋏の枢軸構造。
【請求項４】
第１の刃体の被押付け部と該被押付け部に押付けられる枢軸の押付け部との間にゴム又は樹脂製の環状のパッキンを装着してなる請求項３記載の鋏の枢軸構造。
【発明の詳細な説明】
【技術分野】
【０００１】
本発明は、例えば洋裁用鋏や理髪用鋏などの鋏の枢軸構造に関する。
【背景技術】
【０００２】
鋏は一般に指環部を備えた第１の刃体と第２の刃体を枢軸により連結して開閉可能となっている。
鋏には良好な切れ味が求められるほか、長時間にわたって使用される理髪用鋏では、鋏捌きが軽快に行われることが求められる。
【０００３】
図１は、従来の理髪用鋏において、第１の刃体１と第２の刃体２を回動可能に連結する枢軸構造を示すもので、第１の刃体１には、縦断面が漏斗状をなす横断面円形の座繰り穴３が形成され、また第２の刃体２には横断面正方形の角穴部と横断面円形の丸穴部よりなり、縦断面が同じく漏斗状をなす座繰り穴４が形成されている。
【０００４】
枢軸６は、縦断面が漏斗状をなす頭部６ａと、横断面が正方形の角形の軸部６ｂよりなり、頭部６ａが第１の刃体１の座繰り穴３に嵌挿されて第１の刃体１が枢軸６の頭部６ａに回転自在に軸支され、また前記軸部６ｂが第２の刃体２の座繰り穴４の前記角穴部に嵌挿されて第２の刃体２が軸部６ｂに対し回り止めされ、回転方向に一体となっている。
【０００５】
止ネジ７は、軸部６ｂが角穴部に嵌合することによって回り止めされた枢軸６の軸部６ｂに捩じ込まれ、枢軸６と共に第１及び第２の刃体１、２を第１の刃体１とは回転自在に、第２の刃体２とは回転不可に連結している。
【０００６】
図２は、従来の理髪用鋏の別の枢軸構造を示すもので、第１の刃体１１には、大形部と小径部よりなって段状をなす横断面円形の座繰り穴１３が形成され、また第２の刃体１２には、横断面正方形の角穴部と円形の丸穴部よりなり、前記座繰り穴４と同様、縦断面が漏斗状をなす座繰り穴１４が形成されている。
【０００７】
枢軸１６は断面が大径の軸部１６ａと、横断面正方形の角形の軸部１６ｂよりなり、前記軸部１６ａが座繰り穴１３の大径部に取着の玉軸受２９に嵌挿され、これにより第１の刃体１１が玉軸受１５を介して枢軸１６の軸部１６ａに回転自在に軸支されている。枢軸１６の軸部１６ｂは、第２の刃体１２の角穴部に嵌挿されて第２の刃体１２が軸部１６ｂに対し回り止めされ、回転方向に一体となっている。
【０００８】
止ネジ１７は第２の刃体１２の座繰り穴１４を通して回り止めされた前記枢軸１６の軸部１６ｂに軸端より捩じ込まれ、枢軸１６と共に第１及び第２の刃体１１、１２を第１の刃体１１とは回転自在に、第２の刃体１２とは回転不可に連結している。
【発明の概要】
【発明が解決しようとする課題】
【０００９】
前述の図示する枢軸構造において、座繰り穴４、１４の一部を構成する角穴部は一般にポンチにより打抜いて形成されるが、打ち抜かれた穴は加工精度が悪い。打抜き後、角穴部を形成する四辺の各辺に切削加工して角穴部の精度を上げることも考えられるが、手間がかかり、コスト高となる。角穴部は該角穴部に嵌挿される断面正方形の角形の軸部に止ネジ７、１７を捩じ込むときの枢軸の回り止めの機能を果たせばよいことから、従来精度について左程重要視されることなく、サイズはハメアイを考慮して断面角形の軸部より若干大きめに形成されていた。そのため角穴部と、該角穴部に嵌挿される軸部との間に若干の遊びが生じることにより鋏開閉時にガタ付きを生じ、そのために刃体同士の密着性が損なわれて切れ味が損なわれたり、軽快な鋏捌きが損なわれたりしがちであった。
【００１０】
本発明は、従来よりも枢軸部でのガタ付きを少なくして切れ味を向上させた鋏の枢軸構造を提供することを目的とする。
【課題を解決するための手段】
【００１１】
請求項１に係わる発明は、第１の刃体と第２の刃体を枢軸により開閉可能に連結してなる鋏の枢軸構造において、前記枢軸は横断面円形の丸軸部と、横断面角形の角軸部を同一軸線上に有し、前記角軸部は横断面角形の４隅が枢軸の中心軸を曲率中心とする円弧に面取りされ、また第１の刃体には前記枢軸の丸軸部が密着状態で嵌挿される横断面円形の丸穴部と、前記角軸部が嵌挿され、該角軸部の回り止めを行う角穴部を備えた座繰り穴が形成される一方、第２の刃体には前記枢軸の角軸部が嵌挿される座繰り穴が形成され、該座繰り穴は前記角軸部を回転可能に軸支する横断面円形の丸穴部を有するか、或いは軸受を有し、前記枢軸を第１の刃体側から第２の刃体に通したのち、第２の刃体側から止ネジを前記枢軸の軸部の軸端に捩じ込み、第１及び第２の刃体を開閉可能に連結してなるものである。
【００１２】
請求項２に係わる発明は、請求項１に係わる発明において、前記枢軸は第１の刃体に回り止めされる代わりに丸軸部にネジを刻設して第１の刃体の座繰り穴に形成されるネジ部に捩じ込み、第１の刃体には枢軸の捩じ込みによる移動を一定位置で阻止する阻止手段を設け、また前記止ネジは前記枢軸に該枢軸が捩じ込まれる方向に捩じ込まれるようにしたものである。
【００１３】
請求項３に係わる発明は、請求項２に係わる発明において、前記第１の刃体の座繰り穴に枢軸の捩じ込み方向に窄まるテーパ部を形成する一方、前記枢軸の丸軸部に前記テ―パ部に係止可能なテーパ部を形成してなるものである。
【００１４】
請求項４に係わる発明は、請求項３に係わる発明において、第１の刃体の被押付け部と該被押付け部に押付けられる枢軸の押付け部との間にゴム又は樹脂製の環状のパッキンを装着してなるものである。
【発明の効果】
【００１５】
請求項１に係わる発明によると、枢軸は角軸部が第１の刃体の座繰り穴の角穴部に嵌合することにより従来構造と同様に回り止めされるが、第１の刃体は丸穴部に枢軸の丸軸部が密着状態で嵌挿されるため、前記角軸部と角穴部の間に遊びがあっても第１の刃体は枢軸の丸軸部に軸支され、第１の刃体と枢軸の間でガタ付きを生ずることがない。また第２の刃体は枢軸の角軸部に回転可能に軸支されるためガタ付きを生ずることがなく、したがって第１及び第２の刃体共、枢軸にガタ付きなく取付けられるため、刃体同士の密着性を向上させることができ、切れ味がよくなるうえ、鋏開閉時にガタ付きが生じないため、鋏捌きを軽快に行うことができる。
【００１６】
請求項２に係わる発明によると、枢軸の捩じ込みが阻止手段に阻止された状態において、止ネジを枢軸が捩じ込まれる方向に捩じ込んでも枢軸は捩じ込まれることはなく、固定状態となる。したがって枢軸の回り止めのために角穴に断面角形の軸部を嵌挿する従来の枢軸構造のような構成にしなくても枢軸が共回りすることなく止ネジの捩じ込みを行うことができる。また第１及び第２の刃体と枢軸との間には遊びがなくガタ付くことがない。そのため刃体同士の密着性を向上させることができ、切れ味がよくなるうえ、鋏開閉時にガタ付きが生じないため、鋏捌きを軽快に行うことができる。
【００１７】
請求項３に係わる発明によると、枢軸を軸方向に押込み、枢軸のテーパ部を座繰り穴のテーパ部に押付けると、枢軸の芯出しが行われ、枢軸の丸軸部と座繰り穴の丸孔部に多少の遊びがあったとしてもテーパ部でガタ付きを生ずることなく軸支することができる。
【００１８】
請求項４に係わる発明によると、止ネジの捩じ込みにより枢軸の押付け部と第１の刃体の被押付け部との間に介在するパッキンがバネ効果を発揮し、刃体同士の密着性をより高めることができる。
【図面の簡単な説明】
【００１９】
【図１】従来の鋏の枢軸構造の断面図。
【図２】従来の鋏の別の枢軸構造の断面図。
【図３】本発明に係わる鋏の枢軸構造の断面図。
【図４】図３及び図４のＡ−Ａ線での断面図。
【図５】別の実施形態の枢軸構造の断面図。
【図６】更に別の実施形態の枢軸構造の断面図。
【発明を実施するための形態】
【００２０】
以下、本発明の実施形態の理髪用鋏の枢軸構造について図面により説明する。
図３に示す枢軸構造においては、第１の刃体２１の座繰り穴２３は、大部分が横断面円形で、縦断面漏斗状をなす、請求項１に係る発明の丸穴部に相当するもので、大径部２３ａと、小径部２３ｂと、該小径部２３ｂと大径部２３ａを接続し、小径部２３ｂに向かい、すなわち後述の枢軸２６を捩じ込む方向に向かって窄まるテーパ部２３ｃよりなっている。  
【００２１】
前記座繰り穴２３の大部分以外の残りの第２の刃体側の出口部分は、横断面正方形ないし略正方形の角穴部２３ｅと、該角穴部２３ｅと前記小径部２３ｂを接続する第2のテーパ部２３ｄよりなっている。
第２の刃体２２の座繰り穴２４は、大径部２４ａと小径部２４ｂの段状をなして、縦断面が漏斗状をなし、横断面が円形となっている。
【００２２】
枢軸２６は、縦断面が前述するように丸穴部に相当する前記座繰り穴２３の大部分と同形の漏斗状で、横断面が円形をなして前記座繰り穴２３に嵌合する請求項１に係る発明の丸軸部に相当する頭部２６ａと、該頭部２６ａより突出し、該頭部２６ａと同一軸線上に形成される軸部２６ｂよりなり、頭部２６ａは前記座繰り穴２３の大径部２３ａに嵌合する大径部２６ａ１と、座繰り穴２３の小径部２３ｂに嵌合する小径部２６ａ２と、枢軸２６の押込みによりテーパ部２３ｃに係合するテーパ部２６ａ３とよりなり、小径部２６ａ２は第１の刃体２１の座繰り穴２３の小径部２３ｂに密着状態で嵌挿され、テーパ部２６ａ3には、前記テーパ部２３ｃとの間に介在するゴム又は樹脂製のパッキン、例えばウレタン製のパッキン２８が取付けられている。
【００２３】
軸部２６ｂは、請求項１に係る発明の角軸部に相当するもので、図４に示すように横断面正方形の四隅が面取りされて、枢軸２６の軸心ｏを曲率中心とする円弧面２６ｂ１となっており、第２の刃体２２の座繰り穴２４の大径部２４ａに取着される軸受、好ましくは図示するような玉軸受２９に嵌合し、円弧面２６ｂ１で回転自在に軸支されている。なお小径部２４ｂは軸部２６ｂより大径、すなわち玉軸受２９の内径より大径で、軸部２６ｂとは接触しないようにしてある。
【００２４】
止ネジ２７は、前記座繰り穴２４に被さる頭部２７ａと、ネジ部２７ｂよりなり、ネジ部２７ｂを枢軸２６の軸部２６ｂに端面より捩じ込むことにより枢軸２６の頭部２６ａと止ネジ２７の頭部２７ａとで第１の刃体２１と第２の刃体２２を挟着し、止ネジ２７の捩じ込みにより両刃体２１、２２の図示しない刃先の密着力を調節できるようになっている。
【００２５】
本実施形態によると、枢軸２６の軸部２６ｂは第１の刃体２１の座繰り穴２３の角穴部２３ｅに通され回り止めされるが、角穴部２３ｅと軸部２６ｂとの間に若干の遊びがあっても止ネジ２７を捩じ込む際には、枢軸２６は僅かに回るだけで止められ、止ネジ２７の捩じ込みに支障を生ずることはない。第１の刃体２１は枢軸２６の頭部２６ａにガタ付くことなく軸支される一方（軸部２６ｂが角穴部２３ｂに通されることにより回り止めされた状態で）、第２の刃体２２は座繰り穴２４の大径部２４ａに装着の玉軸受２９に嵌挿される枢軸２６の軸部２６ｂによりガタ付くことなく軸支される。そのため刃体同士の密着性を向上させることができて切れ味がよくなるうえ、鋏開閉時にガタ付きが生じないため、鋏捌きを軽快に行うことができる。また止ネジ２７を捩じ込むことで枢軸２６のテーパ部２６ａ３が第１の刃体２１のテーパ部２３ｃに押付けられながら芯出しが行われる。ここで枢軸２６のテーパ部２６ａ３は請求項１に係る発明の押付け部に、後者の第１の刃体２１のテーパ部２３ｃは被押付け部に相当するものとなる。
【００２６】
前述の芯出し後、枢軸２６は枢軸２６と直交する方向の動きが規制されるため、頭部２６ａと座繰り穴２３との間に遊びがあったとしても、テーパ部においてガタ付きを生ずることなく軸支することができる。また枢軸２６のテーパ部２６ａ３にパッキン２８を装着することにより、該パッキンのバネ効果（このバネ効果は止ネジ２７の捩じ込みにより調整される）により両刃体２１、２２の刃先の密着性を高めることができる。
【００２７】
前記実施形態の枢軸構造では、座繰り穴２３は大径部２３ａと小径部２３ｂとテーパ部２３ｃとで形成され、枢軸２６も頭部２６ａが大径部２６ａ１と小径部２６ａ２とテーパ部２６ａ３とで形成されているが、座繰り穴２３のテーパ部２３ｃ、２３ｄ及び枢軸２６のテ―パ部２６ａ３を省き、更には座繰り穴２３の前記小径部２３ｂ、枢軸２６の小径部２６ａ２を省き、座繰り穴２３を大径部２３ａと角穴部２３ｄより形成し、かつ枢軸２６を大径部２６ａ１と軸部２６ｂより構成してもよい。この場合、枢軸２６の大径部２６ａ１と第１の刃体２１の段状をなす座繰り穴２３の段との間に前述のパッキンを介在させるのが望ましい。
【００２８】
前記枢軸２６は、頭部２６ａを止めネジ２７のように第１の刃体２１の座繰り穴２３を塞ぐように形成してもよい。
枢軸２６の軸部２６ｂは第２の刃体２２の玉軸受２９に軸支されているが、第２の刃体２２の座繰り穴２４に直接軸支させるようにしてもよい。
【００２９】
図５は別の実施形態の枢軸構造を示すもので、該枢軸構造が図３に示す実施形態の枢軸構造と異なるのは、第１の刃体２１の座繰り穴２３の角穴部２３ｄを省いて小径部２３ｂを第１の刃体２１の側面まで延長させ、小径部２３ｂ内周面にネジを刻設すると共に、枢軸２６の小径部２６ａ２の外周面にネジを刻設して第１の刃体２１に捩じ込むようにした点及び止ネジ２７のネジ部２７ｂを前記枢軸２６のネジと逆ネジにし、止ネジ２７を捩じ込むと枢軸２６が捩じ込まれるようにした点で、他の構造は図３に示す枢軸構造と同一で、同一構造部分には同一符合を付した。
【００３０】
本実施形態においては、座繰り穴２３のテーパ部２３ｃと、該テーパ部２３ｃに係止する枢軸２６のテーパ部２６ａ３が枢軸２６の捩じ込みによる移動を一定位置で阻止する阻止手段を構成するものであるが、該阻止手段を構成する枢軸２６のテーパ部２６ａ３は請求項４に係る発明の押付け部、後者のテーパ部２３ｃは被押付け部の機能を有するものでもある。
【００３１】
本実施形態の枢軸構造によると、止ネジ２７は枢軸のネジ部とは逆ネジになっているため、止ネジ２７の捩じ込みは枢軸２６が捩じ込まれる方向に行われ、枢軸２６の捩じ込による枢軸軸方向への移動はパッキン２８を介した座繰り穴２３のテーパ部２３ｃと枢軸２６のテーパ部２６ｃとの係合により阻止されるため、従来の枢軸構造のように、回り止めのため座繰り穴２３に角穴部を形成し、枢軸２６に角穴部に嵌合する断面角形の軸部を設けることなく、止ネジ２７の捩じ込みを支障なく行うことができる。また枢軸２６は、ネジを切られた小径部２６ａ２が第１の刃体２１の小径部２３ｂに捩じ込まれ、止ネジ２７で締着されることにより第１の刃体２２とはガタ付くことなく一体となって回転する。また第２の刃体２２に対しては、軸部２６ｂが玉軸受２９に軸支されることによりガタ付くことなく回転自在に軸支される。そのため刃体同士の密着性を向上させることができ、切れ味が向上するうえ、鋏開閉時にガタ付きが生じないため、鋏捌きを軽快に行うことができる。更にまた、止ネジ２７の捩じ込みにより枢軸２６の押付け部となるテーパ部２６ａ3と第１の刃体２１の押付け部となるテ―パ部２３ｃとの間に介在するパッキン２８がバネ効果を発揮し、刃体同士の密着性をより高めることができる。
【００３２】
図６は更に別の実施形態の枢軸構造を示すもので、該枢軸構造が図５に示す枢軸構造と異なるのは、枢軸２６の軸部２６ｂを図４に示すような形状の角形にしないで横断面円形にし、その全周において玉軸受２９に軸支させた点で、他は図５に示す枢軸構造と同一である。符号も同一構造部分には同一符合を付した。本実施形態においても図５に示す実施形態と同様の効果を生ずる。
【産業上の利用可能性】
【００３３】
本発明は、理髪用鋏の枢軸構造のみならず、洋裁用の鋏、その他鋏一般の枢軸構造に適用可能である。
【符号の説明】
【００３４】
２１・・第１の刃体
２２・・第２の刃体
２３、２４・・座繰り穴
２６・・枢軸
２６ａ・・頭部
２６ｂ・・軸部
２７・・止ネジ
２８・・パッキン
２９・・玉軸受
【図１】
0005750638.tif 000002
【図２】
0005750638.tif 000003
【図３】
0005750638.tif 000004
【図４】
0005750638.tif 000005
【図５】
0005750638.tif 000006
【図６】
0005750638.tif 000007